【事件の表示】
　特願２０００−２２７７１１「遊技機」拒絶査定不服審判事件〔平成１４年　２月　５日出願公開、特開２００２−　３５２８３〕について、次のとおり審決する。
【結　論】
　本件審判の請求は、成り立たない。
【理　由】
１．手続の経緯
　本願は、平成１２年７月２７日の出願であって、平成１５年６月２６日付けの最後の拒絶理由に対して、平成１５年８月２６日付けで手続補正がなされ、平成１６年４月２３日付けで、平成１５年８月２６日付けの手続補正を却下するとともに拒絶査定がなされ、これに対し、平成１６年６月９日に拒絶査定に対する審判請求がなされるとともに、同日付けで手続補正がなされたものである。
　　　　　　　　　　　　　　　　　　　　　　　　　　　　　　　　　
２．平成１６年６月９日付けの手続補正（以下、「本件補正」という。）について
　　　　　　　　　　　　　　　　　　　　　　　　　　　　　　　　　
［
補正却下の決定の結論
　平成１６年６月９日付けの手続補正を却下する。
　　　　　　　　　　　　　　　　　　　　　　　　　　　　　　　　　
［理由］
　本件補正により、特許請求の範囲の請求項１は、
「変動後の複数個の停止図柄が特定態様となった場合に遊技者に有利な利益状態を発生させるようにした遊技機において、遊技に必要な複数種類の第１図柄が周方向に略等間隔をおいて胴部に表わされ且つ回動後にその周方向に隣り合う複数個の第１図柄が図柄表示領域に対応するように停止する回胴体と、該回胴体を駆動する駆動手段と、前記図柄表示領域に対応して前記回胴体の内部に配置され、且つ前記回胴体の回転速度が第１図柄を目視により識別可能な速度のときに、その第１図柄の変動表示に同期して第２図柄を変動表示させる電気的表示手段とを備え、前記電気的表示手段を内部に有する前記回胴体の前記胴部の一部に前記第２図柄を視認可能な透過性部を設け、前記回胴体の前記胴部は、内部を透視可能な透過性を有する材料によりその全体が構成され、且つその外周面に、前記第１図柄が表示された透過性のない不透明な図柄表示シートが貼着され、前記図柄表示シートには、前記第１図柄の１コマ分に相当する除去部が形成され、該除去部内の前記胴部により前記透過性部が構成され、該透過性部は、前記胴部を構成する前記透過性材料により一体に形成され且つ前記第２図柄を拡大するレンズ手段により構成されていることを特徴とする遊技機。」と補正された。
　　　　　　　　　　　　　　　　　　　　　　　　　　　　　　　　　
　上記補正は、請求項１に記載した発明を特定するために必要な事項である「遊技機」について、「変動後の複数個の停止図柄が特定態様となった場合に遊技者に有利な利益状態を発生させるようにした遊技機において、」と限定し、「表示手段」について、「前記回胴体の回転速度が第１図柄を目視により識別可能な速度のときに、その第１図柄の変動表示に同期して（第２図柄を変動表示させる）電気的表示手段」と限定し、「前記回胴体の前記胴部の一部」について、「前記電気的表示手段を内部に有する前記回胴体の前記胴部の一部」と、それぞれ限定するものであって、特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（特許法第１７条の２第５項において準用する同法第１２６条第５項の規定に適合するか）について以下に検討する。
　　　　　　　　　　　　　　　　　　　　　　　　　　　　　　　　　
（１）引用発明
　原査定の拒絶の理由に引用された、本願の出願前に頒布された刊行物である以下の各刊行物には、それぞれ次の発明が記載されている。
（１-1)　特開平１０−９９４８３号公報
　特開平１０−９９４８３号公報（以下、「引用例1」という。）には以下の記載がある。
1-a 「・・・シンボル可変表示装置３は、シンボル表示窓８の背後に、・・・３個のシンボル表示部９ａ，９ｂ，９ｃが配設されて成る。前記シンボル表示窓８からは各シンボル表示部９ａ，９ｂ，９ｃの作動状況が透視可能であり、シンボル表示部９ａ，９ｂ，９ｃの停止時には、シンボル表示窓８に、それぞれの３駒分のシンボルが縦，横，斜めに並ぶようになっている。・・・入賞判定ラインＬ1 〜Ｌ6 上に３個の当たりシンボルによる組合せが成立したとき、前述の特別入賞を発生させる。」（段落【０００７】）
1-b「図３は、両側位置のシンボル表示部９ａ，９ｃの構成を示すもので、合成樹脂成形体であるリール１１の外周部１３に、複数のシンボル（図中、破線で示す）が印刷された不透明の帯状テープ１２をリング状に貼設することにより形成される。・・・」（段落【０００８】）
1-c「中央位置のシンボル表示部９ｂは、・・・前記シンボル表示部９ａ，９ｃと同一径の第２のシンボル表示体２１の内側に、ひと回り小さい径の第１のシンボル表示体２０を重ねるように配備して成る。第１のシンボル表示体２０は、両側位置のシンボル表示部９ａ，９ｃと同様の構成である・・・」（段落【０００９】）
1-d「前記第２のシンボル表示体２１は、ボス部１４，枠骨１５，および外周部１３が一体形成された合成樹脂成形体のリール１６の外周部１３に、図５の展開図に示すように、シンボル１〜３駒分に相当する大きさに開設された複数の透視部２２と、前記透視部２２以外の部分に印刷された複数のシンボルとが配置された不透明の帯状テープ１２が貼設されて成る。
　なお透視部２２は、透明であっても、切欠であってもよい。・・・」（段落【００１０】）
1-e「これら第１，第２のシンボル表示体２０，２１は、それぞれのボス部１４に個別のステッピングモータを連結することにより、シンボル表示体２０，２１毎に回動・停止できるようにしてあり、各シンボル表示体２０，２１が停止したとき、第１のシンボル表示体２０の外周部１３に表された各シンボルの上に、第２のシンボル表示体２１の外周部１３のいずれかのシンボルまたは透視部２２が重なるようになっている。」（段落【００１１】）
1-f「・・・第１，第２の各シンボル表示体２０，２１は同じ方向に同じ速度で回転させており、他のシンボル表示部９ａ，９ｃも同じ方向に同じ速度で回転させている・・・」（段落【００１２】）
1-g「図８の実施例は、両側位置のシンボル表示部９ａ，９ｃとして、ディジタル表示装置２５を用いたものである。図示例のディジタル表示装置２５は、７セグメントのＬＥＤより成る３個の数字表示器２３を縦方向に並べて構成され、シンボルとして「０」〜「９」までの数字を縦方向に３駒分並べて表示する。なお、多数個のＬＥＤがマトリクス状に配列されて成る表示器をディジタル表示装置２５に用いれば、シンボルとして数字のみならず簡単な図柄も表示できる。
　また前述の各実施例では、第１のシンボル表示体として、リール１１を用いているが、これに限らず、図９に示すように、第２のシンボル表示体２１の内側に前記ディジタル表示装置２５を配置して、第１のシンボル表示体２０としてもよい。」（段落【００１５】【００１６】、図８、図９）
　　　　　　　　　　　　　　　　　　　　　　　　　　　　　　　　　
　上記の記載によれば、引用例１（特開平１０−９９４８３号公報）には、「第１のシンボル表示体として、リール１１を用いているが、これに限らず、図９に示すように、第２のシンボル表示体２１の内側に前記ディジタル表示装置２５を配置して、第１のシンボル表示体２０としてもよい」（摘示1-g）ことが記載されており、該「ディジタル表示装置２５を配置して、第１のシンボル表示体２０とし」た「遊戯機」の「シンボル可変表示装置」に係る発明（以下、「引用発明１」という）は以下のものと認められる。
　「シンボル表示窓８の背後に３個のシンボル表示部９ａ，９ｂ，９ｃが配設されて成り、前記シンボル表示窓８からは各シンボル表示部９ａ，９ｂ，９ｃの作動状況が透視可能であり、シンボル表示部９ａ，９ｂ，９ｃの停止時には、シンボル表示窓８に、それぞれの３駒分のシンボルが縦，横，斜めに並ぶようになっており、入賞判定ラインＬ1 〜Ｌ6 上に３個の当たりシンボルによる組合せが成立したとき、特別入賞を発生させるシンボル可変表示装置３であって、両側位置のシンボル表示部９ａ，９ｃは、合成樹脂成形体であるリール１１の外周部１３に、複数のシンボルが印刷された不透明の帯状テープ１２をリング状に貼設することにより形成され、中央位置のシンボル表示部９ｂは、前記シンボル表示部９ａ，９ｃと同一径の第２のシンボル表示体２１の内側に、ディジタル表示装置２５を配置して、第１のシンボル表示体２０とし、前記第２のシンボル表示体２１は、ボス部１４，枠骨１５，および外周部１３が一体形成された合成樹脂成形体のリール１６の外周部１３に、シンボル１〜３駒分に相当する大きさに開設された複数の透視部２２と、前記透視部２２以外の部分に印刷された複数のシンボルとが配置された不透明の帯状テープ１２が貼設されて成るもので、透視部２２は、透明であっても、切欠であってもよく、第１のシンボル表示体２０であるディジタル表示装置２５は、７セグメントのＬＥＤより成る３個の数字表示器２３を縦方向に並べて構成され、シンボルとして「０」〜「９」までの数字を縦方向に３駒分並べて表示するものであり、多数個のＬＥＤがマトリクス状に配列されて成る表示器をディジタル表示装置２５に用いれば、シンボルとして数字のみならず簡単な図柄も表示でき、第２のシンボル表示体２１は、そのボス部１４に個別のステッピングモータを連結することにより、シンボル表示体２１毎に回動・停止できるようにしてあり、シンボル表示体２１が停止したとき、帯状テープ１２の透視部２２を介してディジタル表示装置２５のシンボルを視認可能とされている、遊戯機のシンボル可変表示装置。」
　　　　　　　　　　　　　　　　　　　　　　　　　　　　　　　　　
(１-2)　実願平５−２５３２７号（実開平６−４６７７４号公報）のＣＤ−ＲＯＭ
　実願平５−２５３２７号（実開平６−４６７７４号公報）のＣＤ−ＲＯＭ（以下、「引用例２」という。）には、「遊技機における回転電動役物装置」に関して以下の記載がある。
2-a「１は前記遊技盤Ａの電動役物Ｂに図柄を表示するための複数種類の図柄１ａを周面に描出した回転ドラムである。・・・
　２は前記回転ドラム１の外径より僅かに大きい内径を有する円筒状のレンズにして、周面に凸レンズ２ａが連続して形成されている。・・・
　・・・４は前記した回転ドラム１が回転軸に固定されたステッピングモータ、５は該ステッピングモータ４が固定された支持板である。」（段落【００１２】【００１３】【００１５】）
2-b「円筒状のレンズ２に対する回転ドラム１の取付手段としては、円筒状のレンズ２に一体的に形成したリング３の内周面に孔３ｂ1 を有する突片３ｂを形成し、一方、回転ドラム１の周縁に突起１ｃ1 を有する係合片１ｃを形成する。そして、円筒状のレンズ２をモータ４に取付ける前に、回転ドラム１を円筒状のレンズ２内に挿入すると共に係合片１ｃを突片３ｂの孔３ｂ1 に嵌合する。」（段落【００１７】）
2-c「・・・６は該支持板５を遊技盤Ａに取付けるためのケースにして、上下内面の背面側には固定溝６ａが、また、上下内面の前面側には支持窪み６ｂが３列設けられている。そして、前記支持窪み６ｂには前記支持板５の前縁を挿入し、また、固定溝６ａには支持板５の後縁に形成された突起５ａが挿入することにより、ケース６に３枚の支持板５を並列状態で取付けることができる。これにより、３個の回転ドラム１のそれぞれの図柄１ａがケース６の前面の開口部６ｃから透視できるようになるものである。」（段落【００２０】）
2-d「こような構成したケース６を、その前面の開口部６ｃを遊技盤Ａの回転電動役物取付用孔に一致させて遊技盤Ａの背面側より固定する。これにより、回転ドラム１の図柄１ａを円筒状のレンズ２を介して見ることができるので、図柄１ａは拡大して見えるものである。」（段落【００２２】）
　　　　　　　　　　　　　　　　　　　　　　　　　　　　　　　　　
　上記の記載によれば、引用例２（実願平５−２５３２７号（実開平６−４６７７４号公報）のＣＤ−ＲＯＭ）には以下の発明（以下、「引用発明２」という）が記載されていると認められる。
　「回転ドラム１の周面に複数種類の図柄１ａを描出し、前記回転ドラム１の外径より僅かに大きい内径を有する、周面に凸レンズ２ａが連続して形成されている円筒状のレンズ２を形成し、前記円筒状のレンズ２内に上記回転ドラム１を挿入してレンズ２に取付け、さらに回転ドラム１をステッピングモータ４の回転軸に固定するとともに上記ステッピングモータ４を支持板５に固定し、３枚の支持板５を並列状態でケース６に取付けることにより、３個の回転ドラム１のそれぞれの図柄１ａがケース６の前面の開口部６ｃから透視できるようになるものであり、こように構成したケース６を、その前面の開口部６ｃを遊技盤Ａの回転電動役物取付用孔に一致させて遊技盤Ａの背面側より固定することにより、回転ドラム１の図柄１ａを円筒状のレンズ２を介して見ることができるので、図柄１ａを拡大した状態で見ることができる、遊技機における回転電動役物装置。」
　　　　　　　　　　　　　　　　　　　　　　　　　　　　　　　　　
（１-3）特開平７−１９４８００号公報
　特開平７−１９４８００号公報（以下、「引用例３」という。）には、「遊技機の可変表示装置」に関して以下の記載がある。　　　　　　　　　　　3-a「・・・可変表示装置３０は、前記遊技盤１の表面に取り付けられる取付基板３１と、遊技盤１の裏面に取り付けられる回転ドラム４０ａ〜４０ｃを内蔵するドラム装置体３９とに分けられる。・・・取付基板３１には、長方形状の窓開口３２が開設され、該窓開口３２に本実施例の要部を構成する透明カバー体３７が取り付けられ、その透明カバー体３７の後方に回転ドラム４０ａ〜４０ｃの外周に形成される識別情報が視認できるようになっている。この透明カバー体３７は、３つの回転ドラム４０ａ〜４０ｃの表面に描かれた識別情報（図柄）が３つ分見えるような大きさに選ばれている。・・・」（段落【００１６】）
3-b「・・・回転ドラム４０ａ〜４０ｃの前方に設けられ且つ前記窓開口３２に装着される透明カバー体３７は、・・・縦方向の全長に亘って膨出状に張り出しているが、・・・各回転ドラム４０ａ〜４０ｃに対応する部分は、両面凸レンズ３８ａ〜３８ｃとなっており、前記隙間ｄ１に対応する部分は、両面凸レンズ３８ａと３８ｂ、３８ｂと３８ｃの曲面が交差するようになっており、交差点部分が平面板状となっていない。このため、・・・遊技者から見た場合には、各回転ドラム４０ａ〜４０ｃの外周面が凸レンズ３８ａ〜３８ｃの端部にまで拡大されたように視認されるので、隙間ｄ１が極めて狭い隙間ｄ２となる。・・・」（段落【００１９】）
　　　　　　　　　　　　　　　　　　　　　　　　　　　　　　　　　
　上記の記載によれば、引用例３（特開平７−１９４８００号公報）には以下の発明（以下、「引用発明３」という）が記載されていると認められる。　「可変表示装置３０は、遊技盤１の表面に取り付けられる取付基板３１と、遊技盤１の裏面に取り付けられる回転ドラム４０ａ〜４０ｃを内蔵するドラム装置体３９とに分けられ、取付基板３１に開設された長方形状の窓開口３２には透明カバー体３７が取り付けられ、該透明カバー体３７は、３つの回転ドラム４０ａ〜４０ｃの外周に形成される識別情報（図柄）が３つ分視認できるような大きさに選ばれており、縦方向の全長に亘って膨出状に張り出しているが、各回転ドラム４０ａ〜４０ｃに対応する部分は、両面凸レンズ３８ａ〜３８ｃとなっており、遊技者から見た場合には、各回転ドラム４０ａ〜４０ｃの外周面が凸レンズ３８ａ〜３８ｃの端部にまで拡大されたように視認される、遊技機の可変表示装置。」
　　　　　　　　　　　　　　　　　　　　　　　　　　　　　　　　　
（２）対比 　 　 
　本願補正発明と引用発明１とを対比すると、引用発明１における「遊戯機」は本願補正発明における「遊技機」に対応しており、同様に、「（リールの）シンボル」は「第１図柄」に、「シンボル表示窓」は「図柄表示領域」に、「リール」は「回胴体」に、「（リールの）外周部」は「胴部」に、「（ディジタル表示装置の）シンボル」は「第２図柄」に、それぞれ対応しており、さらに引用発明１について次のことがいえる。
(i) 引用発明１は「遊戯機」において、「入賞判定ラインＬ1 〜Ｌ6 上に３個の当たりシンボルによる組合せが成立したとき、特別入賞を発生させるシンボル可変表示装置３」（摘示1-a ）であり、上記の「３個の当たりシンボルによる組合せが成立したとき」とは、本願補正発明における「変動後の複数個の停止図柄が特定態様となった場合」に対応し、引用発明１における「特別入賞を発生させる」とは、本願補正発明における「遊技者に有利な利益状態を発生させる」ことに対応しているから、同引用発明１は、本願補正発明を特定する「変動後の複数個の停止図柄が特定態様となった場合に遊技者に有利な利益状態を発生させるようにした遊技機」の事項に対応する構成を備えているということができる。
　　　　　　　　　　　　　　　　　　　　　　　　　　　　　　　　　
(ii) 引用発明１は、「両側位置のシンボル表示部９ａ，９ｃは、合成樹脂成形体であるリール１１の外周部１３に、複数のシンボルが印刷された不透明の帯状テープ１２をリング状に貼設することにより形成され」（摘示1-b）るものであり、「中央位置のシンボル表示部９ｂ」は、「合成樹脂成形体のリール１６の外周部１３に、シンボル１〜３駒分に相当する大きさに開設された複数の透視部２２と、前記透視部２２以外の部分に印刷された複数のシンボルとが配置された不透明の帯状テープ１２が貼設されて成る」（摘示1-c）ものであり、さらに引用例１の図３及び図９を併せると、「シンボル表示部９ａないし９ｃ」に配置される「シンボル」（本願補正発明における「第１図柄」に対応する。）は、遊技に必要な複数種類の「シンボル」（「第１図柄」）であり、「リール１６」（本願補正発明における「回胴体」に対応する。）の「外周部１３」（本願補正発明における「胴部」に対応する。）の周方向に略等間隔をおいて表わされていることが見てとれる。
　さらに引用発明１は、「シンボル表示部９ａ，９ｂ，９ｃの停止時には、シンボル表示窓８に、それぞれの３駒分のシンボルが縦，横，斜めに並ぶようになって」（摘示1-a ）おり、「シンボル表示部９ａ，９ｂ，９ｃ」の回動後にその周方向に隣り合う複数個の「シンボル」（「第１図柄」）が「シンボル表示窓８」（本願補正発明における「図柄表示領域」に対応する。）に対応するように停止するものといえる。
　そうすると、引用発明１は、本願補正発明を特定する「遊技に必要な複数種類の第１図柄が周方向に略等間隔をおいて胴部に表わされ且つ回動後にその周方向に隣り合う複数個の第１図柄が図柄表示領域に対応するように停止する回胴体」の事項に対応する構成を備えているということができる。
　　　　　　　　　　　　　　　　　　　　　　　　　　　　　　　　　
(iii) 引用発明１は、「第２のシンボル表示体２１は、そのボス部１４に個別のステッピングモータを連結することにより、シンボル表示体２１毎に回動・停止できる」（摘示1-e）よう構成してあり、同引用発明１は、本願補正発明を特定する「回胴体を駆動する駆動手段」の事項に対応する構成を備えているということができる。
　　　　　　　　　　　　　　　　　　　　　　　　　　　　　　　　　
(iv) 引用発明１は、「中央位置のシンボル表示部９ｂは、前記シンボル表示部９ａ，９ｃと同一径の第２のシンボル表示体２１の内側に、ディジタル表示装置２５を配置して、第１のシンボル表示体２０とし」たもので、該「ディジタル表示装置２５」は、「７セグメントのＬＥＤより成る３個の数字表示器２３を縦方向に並べて構成され、シンボルとして「０」〜「９」までの数字を縦方向に３駒分並べて表示」（摘示1-g ）することで「シンボル」（本願補正発明における「第２図柄」に対応する。）を変動表示するものであり、「第１のシンボル表示体２０」を構成する上記「ディジタル表示装置２５」は、本願補正発明を特定する「電気的表示手段」に対応するものといえる。
　ところで、引用例１には「中央位置のシンボル表示部９ｂ」として、「第２のシンボル表示体２１の内側に、ひと回り小さい径の第１のシンボル表示体２０を重ねるように配備し」（摘示1-c ）た実施例も記載されており、当該実施例において、「第１，第２の各シンボル表示体２０，２１は同じ方向に同じ速度で回転させ」ており、「第２のシンボル表示体２１」の「シンボル」の変動表示に同期して「ひと回り小さい径の第１のシンボル表示体２０」の「シンボル」を変動表示させるものである。そして、上記した変動表示は、「ひと回り小さい径の第１のシンボル表示体２０」を設けた上記の実施例に限ったものではなく、「第１のシンボル表示体２０」として、「ディジタル表示装置２５」（「電気的表示手段」）を設けた実施例においても同様に行われるものと認められるので、引用発明１は、「第２のシンボル表示体２１」である「リール１６」（「回胴体」）の「シンボル」（「第１図柄」）の変動表示に同期して「第１のシンボル表示体２０」である「ディジタル表示装置２５」（「電気的表示手段」）の「シンボル」（「第２図柄」）を変動表示させるものであるといえる。
　以上の事項を総合すると、引用発明１は、本願補正発明を特定する「図柄表示領域に対応して前記回胴体の内部に配置され、その第１図柄の変動表示に同期して第２図柄を変動表示させる電気的表示手段とを備え」の事項に対応する構成を備えているということができる。
　　　　　　　　　　　　　　　　　　　　　　　　　　　　　　　　　
(v) 上記(iv)に記載したように、引用発明１において、「第２のシンボル表示体２１」を構成する「リール１６」（「回胴体」）は、内部に「第１のシンボル表示体２０」を構成する「ディジタル表示装置２５」（「電気的表示手段」）を有するものである。さらに上記「リール１６」（「回胴体」）の「外周部１３」（「胴部」）には、「シンボル１〜３駒分に相当する大きさに開設された複数の透視部２２」を設けた「帯状テープ１２」が「貼設」（摘示1-d）されており、「帯状テープ１２」の「透視部２２」を介して「ディジタル表示装置２５」（「電気的表示手段」）が表示する「シンボル」（「第２図柄」）を視認可能とされており、「リール１６」（「回胴体」）の「外周部１３」（「胴部」）の一部は上記「シンボル」（「第２図柄」）を視認可能な、本願補正発明における「透過性部」に対応する部分を実質的に備えているということができる。
　そうすると、同引用発明１は、本願補正発明を特定する「前記電気的表示手段を内部に有する前記回胴体の前記胴部の一部に前記第２図柄を視認可能な透過性部を設け」の事項に対応する構成を備えているということができる。
　　　　　　　　　　　　　　　　　　　　　　　　　　　　　　　　　
(vi) 引用発明１における「中央位置のシンボル表示部９ｂ」を構成する「第２のシンボル表示体２１」は、「一体形成された合成樹脂成形体のリール１６」の「外周部１３」（「胴部」）に「複数の透視部２２と、前記透視部２２以外の部分に印刷された複数のシンボルとが配置された不透明の帯状テープ１２が貼設されて成る」もので、上記「透視部２２」を通して「ディジタル表示装置２５」（「電気的表示手段」）が表示する「シンボル」（「第２図柄」）を視認可能とされていることから、上記「一体形成された合成樹脂成形体のリール１６」の「外周部１３」（「胴部」）は、内部を透視可能な透過性を有する材料によりその全体が構成されていることが明らかである。
　さらに引用発明１における「複数のシンボル」が「配置」された「不透明の帯状テープ１２」はその機能に照らすと、本願補正発明における「第１図柄が表示された透過性のない不透明な図柄表示シート」に対応しており、同じく「帯状テープ１２」に設けた「シンボル１〜３駒分に相当する大きさに開設され」た「透視部２２」は本願補正発明における「第１図柄の１コマ分に相当する除去部」に対応するものといえる。
　そうすると、同引用発明１は、本願補正発明を特定する「前記回胴体の前記胴部は、内部を透視可能な透過性を有する材料によりその全体が構成され、且つその外周面に、前記第１図柄が表示された透過性のない不透明な図柄表示シートが貼着され、前記図柄表示シートには、前記第１図柄の１コマ分に相当する除去部が形成され、該除去部内の前記胴部により前記透過性部が構成され」の事項に対応する構成を備えているということができる。
　　　　　　　　　　　　　　　　　　　　　　　　　　　　　　　　　
(vii) 上記(vi)に記載したように、引用発明１における「一体形成された合成樹脂成形体のリール１６」の「外周部１３」（「胴部」）は、内部を透視可能な透過性を有する材料によりその全体が構成されていることが明らかであり、引用発明１が実質的に備える「透過性部」（上記(v)に記載。）も「一体形成された合成樹脂成形体のリール１６」の「外周部１３」（「胴部」）の一部を成すものである。
　そうすると、同引用発明１は、本願補正発明を特定する「該透過性部は、前記胴部を構成する前記透過性材料により一体に形成されている」の事項に対応する構成を備えているということができる。
　　　　　　　　　　　　　　　　　　　　　　　　　　　　　　　　　
　以上の事項より、本願補正発明と引用発明１とは以下の点で一致し、また、相違していると認められる。
一致点；
　変動後の複数個の停止図柄が特定態様となった場合に遊技者に有利な利益状態を発生させるようにした遊技機において、遊技に必要な複数種類の第１図柄が周方向に略等間隔をおいて胴部に表わされ且つ回動後にその周方向に隣り合う複数個の第１図柄が図柄表示領域に対応するように停止する回胴体と、該回胴体を駆動する駆動手段と、前記図柄表示領域に対応して前記回胴体の内部に配置され、その第１図柄の変動表示に同期して第２図柄を変動表示させる電気的表示手段とを備え、前記電気的表示手段を内部に有する前記回胴体の前記胴部の一部に前記第２図柄を視認可能な透過性部を設け、前記回胴体の前記胴部は、内部を透視可能な透過性を有する材料によりその全体が構成され、且つその外周面に、前記第１図柄が表示された透過性のない不透明な図柄表示シートが貼着され、前記図柄表示シートには、前記第１図柄の１コマ分に相当する除去部が形成され、該除去部内の前記胴部により前記透過性部が構成され該透過性部は、前記胴部を構成する前記透過性材料により一体に形成されている遊技機、である点。
　　　　　　　　　　　　　　　　　　　　　　　　　　　　　　　　　
相違点；                             
(A) 第１図柄の変動表示に同期して第２図柄を変動表示させるのが、本願補正発明では回胴体の回転速度が第１図柄を目視により識別可能な速度のときであるのに対して、引用発明１ではリール（回胴体）の回転速度がシンボル（第１図柄）を目視により識別可能な速度のときであるか、明らかでない点。
　　　　　　　　　　　　　　　　　　　　　　　　　　　　　　　　　
(B) 透過性部は、本願補正発明では第２図柄を拡大するレンズ手段により構成されているのに対して、引用発明１ではレンズ手段により構成されていない点。
　　　　　　　　　　　　　　　　　　　　　　　　　　　　　　　　　
（３）判断
　上記の相違点について検討する。
(A) の相違点について
　上記(iv)に記載したように、引用例１には、「リール１６」（「回胴体」）の「シンボル」（「第１図柄」）の変動表示に同期して、「ディジタル表示装置２５」（「電気的表示手段」）の「シンボル」（「第２図柄」）を変動表示させることが実質的に記載されており、両者の変動表示を同期させることの技術的意義に照らせば、変動表示を同期させるときの「リール１６」（「回胴体」）の変動速度（回転速度）は、「シンボル」（「第１図柄」）を目視により識別可能な速度のときを少なくとも含むものであるといえる。
　そうすると、本願補正発明と引用発明１とは、「第１図柄」（「リール１６のシンボル」）の変動表示に同期して「第２図柄」（「ディジタル表示装置２５のシンボル」）を変動表示させるときの「回胴体」（「リール１６」）の回転速度に関して表現上の相違があるとしても、該相違は実質的な相違とはいえず、(A) の相違点に格別な技術的意義は認められない。
　　　　　　　　　　　　　　　　　　　　　　　　　　　　　　　　　
(B) の相違点について
　遊技機において、変動図柄を拡大するレンズ手段を設け、遊技者がレンズ手段を介して図柄を拡大した状態で視認できるようにすることは適宜に行われており、例えば上記の引用発明２は、周面に複数種類の「図柄１ａ」を描出した「回転ドラム１」に「円筒状のレンズ２」を取付け、上記「図柄１ａ」を「円筒状のレンズ２」により拡大した状態で見ることができる、遊技機における「回転電動役物装置」であり、同じく引用発明３は、「可変表示装置３０」の「取付基板３１」に開設された「窓開口３２」に「透明カバー体３７」を取り付け、該「透明カバー体３７」は３つの「回転ドラム４０ａ〜４０ｃ」に対応する部分を、「両面凸レンズ３８ａ〜３８ｃ」により一体的に形成して、上記「回転ドラム４０ａ〜４０ｃ」の外周に形成される「識別情報（図柄）」を拡大した状態で視認することができる、遊技機の「可変表示装置」である。
　そして、これらの技術を参酌すれば、引用発明１において、「帯状テープ１２」の「透視部２２」に対応して、「リール１６」（「回胴体」）の「外周部１３」（「胴部」）に一体的に形成された、「シンボル」（「第２図柄」）を透視可能とした部分（本願補正発明における「透過性部」に対応する部分。）を、「シンボル」（「第２図柄」）を拡大するレンズ手段により、「外周部１３」（「胴部」）に一体的に形成することは、当業者が容易に想到することができたものである。
　　　　　　　　　　　　　　　　　　　　　　　　　　　　　　　　　
　そして、(A)及び(B)の相違点に係る発明特定事項を備えた本願補正発明の効果も、引用発明１及び引用発明２、３により例示される周知技術から当業者が予測し得る範囲内のものであって、格別顕著なものとはいえない。
　したがって、本願補正発明は、引用発明１及び引用発明２、３により例示される周知技術に基いて、当業者が容易に発明をすることができたものであるから、特許出願の際独立して特許を受けることができない。
 　　　　　　　　　　　　　　　　　　　　　　　　　　　　　　　　　
　　　　　　　　　　　　　　　　　　　　　　　　　　　　　　　　　
（４）むすび
　以上のとおり、本件補正は、特許法第１７条の２第５項において準用する同法第１２６条第５項の規定に違反するものであり、特許法第１５９条第１項の規定において読み替えて準用する特許法第５３条第１項の規定により却下されるべきものである。
　　　　　　　　　　　　　　　　　　　　　　　　　　　　　　　　　
３．本願発明について
　平成１６年６月９日付けの手続補正は上記のとおり却下され、平成１５年８月２６日付けの手続補正は原審において却下されているので、本願の請求項１に係る発明（以下、「本願発明」という。）は、平成１５年２月２０日付け手続補正書の特許請求の範囲の請求項１に記載された事項により特定される、以下のとおりのものである。
「遊技に必要な複数種類の第１図柄(43)(44)(45)が周方向に略等間隔をおいて胴部(19c)(20c)(21c) に表わされ且つ回動後にその周方向に隣り合う複数個の第１図柄(43)(44)(45)が図柄表示領域(31)に対応するように停止する回胴体(19)(20)(21)と、該回胴体(19)(20)(21)を駆動する駆動手段(22)(23)(24)と、前記図柄表示領域(31)に対応して前記回胴体(19)(20)(21)の内部に配置され且つ第２図柄(46)を変動表示可能な表示手段(25)とを備え、前記胴部(20c) の一部に前記第２図柄(46)を視認可能な透過性部(20d) を設け、前記回胴体(19)(20)(21)の前記胴部(19c)(20c)(21c) は、内部を透視可能な透過性を有する材料によりその全体が構成され、且つその外周面に、前記第１図柄(43)(44)(45)が表示された透過性のない不透明な図柄表示シート(65)(66)(67)が貼着され、前記図柄表示シート(65)(66)(67)には、前記第１図柄(43)(44)(45)の１コマ分に相当する除去部(66a) が形成され、この除去部(66a) 内の前記胴部(20c) により前記透過性部(20d) が構成され、前記透過性部(20d) は、前記胴部(20c) を構成する前記透過性材料により一体に形成され且つ前記第２図柄(46)を拡大するレンズ手段(68)により構成されていることを特徴とする遊技機。」
　　　　　　　　　　　　　　　　　　　　　　　　　　　　　　　　　
（１）引用例
　原査定の拒絶の理由に引用された引用例、および、その記載事項は、前記「２．（１）」に記載したとおりである。
　　　　　　　　　　　　　　　　　　　　　　　　　　　　　　　　　
（２）対比・判断
　本願発明は、前記２．で検討した本願補正発明から、「変動後の複数個の停止図柄が特定態様となった場合に遊技者に有利な利益状態を発生させるようにした遊技機において、」の限定事項を省き、「前記回胴体の回転速度が第１図柄を目視により識別可能な速度のときに、その第１図柄の変動表示に同期して第２図柄を変動表示させる電気的表示手段」を「第２図柄(46)を変動表示可能な表示手段(25)」と、より広義な概念で特定し、「前記電気的表示手段を内部に有する前記回胴体の前記胴部の一部」を「前記回胴体の前記胴部の一部」と、より広義な概念で特定するものである。
　そうすると、本願発明の発明特定事項を全て含み、さらに他の事項を付加したものに相当する本願補正発明が、前記「２．（３）」に記載したとおり、引用発明１並びに引用発明２、３に基づいて、当業者が容易に発明をすることができたものであり、上記したように、より広義な概念で特定される本願発明も、引用発明１及び引用発明２、３により例示される周知技術に基いて当業者が容易に発明をすることができたものである。
　　　　　　　　　　　　　　　　　　　　　　　　　　　　　　　　　
（３）むすび
　以上のとおり、本願発明は、引用発明１及び引用発明２、３により例示される周知技術に基づいて当業者が容易に発明をすることができたものであるから、特許法第２９条第２項の規定により特許を受けることができない。
　よって、本願の他の請求項について論じるまでもなく、結論のとおり審決する。